(57)【特許請求の範囲】
【請求項１】
放送局、受信機、端末、サーバ、ウェブサイトを備えた調査システムにおいて、
前記放送局は、放送信号に含まれる音声に、放送日時と放送局ＩＤを含む透かしデータを埋め込み、
前記受信機は、前記放送局からの放送信号を受信して、音声を再生し、
前記端末は、前記受信機が再生した音声を入力し、透かしデータを検出し、透かしデータを蓄積部に蓄積し、且つ、前記端末は、自動又はユーザの許可により、透かしデータを含む問合せデータを、前記サーバに送信し、
前記サーバは、放送日時と放送局ＩＤと、番組タイトル若しくはＣＭタイトル及びＵＲＬとを対応して記憶したサーバ記憶部を参照し、前記端末から受信した問合せデータに含まれる放送日時と放送局ＩＤに従い、番組タイトル若しくはＣＭタイトル及びＵＲＬを求め、サフィックスを予め定められた手順に従い設定して、番組タイトル若しくはＣＭタイトル及びＵＲＬ及びサフィックスを含む応答データを、前記端末に返答し、及び、問合せデータに従い、前記端末からのアクセスについてのログを作成して、ログ記憶部に記憶し、
前記端末は、応答データを前記サーバから受信し、自動で又はユーザの許可により、該応答データに含まれるＵＲＬ及びユーザＩＤを含む接続データによって、該ＵＲＬで指定された前記ウェブサイトに接続し、
前記ウェブサイトは、前記端末からの接続に対して、前記端末からのアクセスについてのログを作成する測定用サーバ又は前記サーバにアクセスするためのタグが埋め込まれたウェブページを、前記端末に送信し、
前記端末は、前記ウェブサイトからウェブページを受信して表示し、
前記端末は、前記タグ、ユーザＩＤ、ＵＲＬ、サフィックスを含むアクセスデータにより、タグで指定された測定用サーバ又は前記サーバにアクセスし、
前記測定用サーバ又は前記サーバは、アクセスデータに従い前記端末からのアクセスについてのログを、サフィックスにより前記応答データと前記アクセスデータを対応付けて作成して、ログ記憶部に記憶する
調査システム。
【請求項２】
前記放送局は、透かしデータにさらにフラグを埋めこみ、
前記端末は、前記フラグにしたがって、蓄積部に透かしデータを蓄積するか否かを判断し、及び／又は、問合せデータを前記サーバに送信するか否かを判断し、その判断結果に従い蓄積及び／又は送信の処理を実行する
ことを特徴とする請求項１に記載の調査システム。
【請求項３】
前記端末は、蓄積部に蓄積されたひとつ又は複数の透かしデータのリスト、及び／又は、応答データのリストを、表示部に表示することを特徴とする請求項１又は２に記載の調査システム。
【請求項４】
前記接続データには、端末位置情報及び／又は個人識別情報を含み、
前記ウェブサイトでは、端末位置情報及び／又は個人識別情報に従いウェブページを選択して、前記端末に送信することを特徴とする請求項１乃至３のいずれかに記載の調査システム。
【請求項５】
放送局、受信機、端末、サーバ、ウェブサイト、リダイレクトサーバを備えた調査システムにおいて、
前記放送局は、放送信号に含まれる音声に、放送日時と放送局ＩＤを含む透かしデータを埋め込み、
前記受信機は、前記放送局からの放送信号を受信して、音声を再生し、
前記端末は、前記受信機が再生した音声を入力し、透かしデータを検出し、透かしデータを蓄積部に蓄積し、且つ、前記端末は、自動又はユーザの許可により、透かしデータを含む問合せデータを、前記サーバに送信し、
前記サーバは、放送日時と放送局ＩＤ、番組タイトル若しくはＣＭタイトル及び前記リダイレクトサーバへの特定アドレス及び特定ＩＤとを対応して記憶したサーバ記憶部を参照し、前記端末から受信した問合せデータに含まれる放送日時と放送局ＩＤに従い、番組タイトル若しくはＣＭタイトル及び特定アドレス及び特定ＩＤを求め、サフィックスを予め定められた手順に従い設定して、番組タイトル若しくはＣＭタイトル及び特定アドレス及び特定ＩＤ及びサフィックスを含む第１の応答データを、前記端末に返答し、及び、問合せデータに従い、前記端末からのアクセスについてのログを作成して、ログ記憶部に記憶し、
前記端末は、第１の応答データを前記サーバから受信し、自動で又はユーザの許可により、該第１の応答データに含まれる特定アドレス及び特定ＩＤと、ユーザＩＤと、サフィックスとを含む第１の接続データによって、該特定アドレスで指定された前記リダイレクトサーバに接続し、
前記リダイレクトサーバは、特定ＩＤに対し転送先ＵＲＬを保持するリダイレクトサーバ記憶部を参照し、受信した特定ＩＤに従い転送先ＵＲＬを求めて、転送先ＵＲＬを含む第２の応答データを前記端末に返答し、及び、サフィックスに従い、リダイレクトサーバのアクセスログを前記第１の応答データと対応付けて作成し、
前記端末は、第２の応答データを前記リダイレクトサーバから受信し、自動で又はユーザの許可により、該第２の応答データに含まれる転送先ＵＲＬを含む第２の接続データによって、該転送先ＵＲＬで指定された前記ウェブサイトに接続し、
前記ウェブサイトは、前記端末からの接続に対して、ウェブページを前記端末に送信し、
前記端末は、前記ウェブサイトからウェブページを受信して表示し、
前記リダイレクトサーバは、第２の応答データを返答する際、前記端末から受信した第１の接続データに従い前記端末からのアクセスについてのログを作成して、ログ記憶部に記憶する
調査システム。
【請求項６】
前記放送局は、透かしデータにさらにフラグを埋めこみ、
前記端末は、前記フラグにしたがって、蓄積部に透かしデータを蓄積するか否かを判断し、及び／又は、問合せデータを前記サーバに送信するか否かを判断し、その判断結果に従い蓄積及び／又は送信の処理を実行する
ことを特徴とする請求項５に記載の調査システム。
【請求項７】
前記端末は、蓄積部に蓄積されたひとつ又は複数の透かしデータのリスト、及び／又は、前記第１及び／又は第２の応答データのリストを、表示部に表示することを特徴とする請求項５又は６に記載の調査システム。
【請求項８】
前記第１及び／又は第２の接続データには、端末位置情報及び／又は個人識別情報を含み、
前記ウェブサイトでは、端末位置情報及び／又は個人識別情報に従いウェブページを選択して、前記端末に送信することを特徴とする請求項５乃至７のいずれかに記載の調査システム。
【請求項９】
放送局、受信機、端末、サーバ、ウェブサイトを備えた調査示システムにおける調査方法であって、
前記放送局は、放送信号に含まれる音声に、放送日時と放送局ＩＤを含む透かしデータを埋め込み、
前記受信機は、前記放送局からの放送信号を受信して、音声を再生し、
前記端末は、前記受信機が再生した音声を入力し、透かしデータを検出し、透かしデータを蓄積部に蓄積し、且つ、前記端末は、自動又はユーザの許可により、透かしデータを含む問合せデータを、前記サーバに送信し、
前記サーバは、放送日時と放送局ＩＤと、番組タイトル若しくはＣＭタイトル及びＵＲＬとを対応して記憶したサーバ記憶部を参照し、前記端末から受信した問合せデータに含まれる放送日時と放送局ＩＤに従い、番組タイトル若しくはＣＭタイトル及びＵＲＬを求め、サフィックスを予め定められた手順に従い設定して、番組タイトル若しくはＣＭタイトル及びＵＲＬ及びサフィックスを含む応答データを、前記端末に返答し、及び、問合せデータに従い、前記端末からのアクセスについてのログを作成して、ログ記憶部に記憶し、
前記端末は、応答データを前記サーバから受信し、自動で又はユーザの許可により、該応答データに含まれるＵＲＬ及びユーザＩＤを含む接続データによって、該ＵＲＬで指定された前記ウェブサイトに接続し、
前記ウェブサイトは、前記端末からの接続に対して、前記端末からのアクセスについてのログを作成する測定用サーバ又は前記サーバにアクセスするためのタグが埋め込まれたウェブページを、前記端末に送信し、
前記端末は、前記ウェブサイトからウェブページを受信して表示し、
前記端末は、前記タグ、ユーザＩＤ、ＵＲＬ、サフィックスを含むアクセスデータにより、タグで指定された測定用サーバ又は前記サーバにアクセスし、
前記測定用サーバ又は前記サーバは、アクセスデータに従い前記端末からのアクセスについてのログを、サフィックスにより前記応答データと前記アクセスデータを対応付けて作成して、ログ記憶部に記憶する
調査方法。
【請求項１０】
前記放送局は、透かしデータにさらにフラグを埋めこみ、
前記端末は、前記フラグにしたがって、蓄積部に透かしデータを蓄積するか否かを判断し、及び／又は、問合せデータを前記サーバに送信するか否かを判断し、その判断結果に従い蓄積及び／又は送信の処理を実行する
ことを特徴とする請求項９に記載の調査方法。
【請求項１１】
前記端末は、蓄積部に蓄積されたひとつ又は複数の透かしデータのリスト、及び／又は、応答データのリストを、表示部に表示することを特徴とする請求項９又は１０に記載の調査方法。
【請求項１２】
前記接続データには、端末位置情報及び／又は個人識別情報を含み、
前記ウェブサイトでは、端末位置情報及び／又は個人識別情報に従いウェブページを選択して、前記端末に送信することを特徴とする請求項９乃至１１のいずれかに記載の調査方法。
【請求項１３】
放送局、受信機、端末、サーバ、ウェブサイト、リダイレクトサーバを備えた調査システムにおける調査方法であって、
前記放送局は、放送信号に含まれる音声に、放送日時と放送局ＩＤを含む透かしデータを埋め込み、
前記受信機は、前記放送局からの放送信号を受信して、音声を再生し、
前記端末は、前記受信機が再生した音声を入力し、透かしデータを検出し、透かしデータを蓄積部に蓄積し、且つ、前記端末は、自動又はユーザの許可により、透かしデータを含む問合せデータを、前記サーバに送信し、
前記サーバは、放送日時と放送局ＩＤ、番組タイトル若しくはＣＭタイトル及び前記リダイレクトサーバへの特定アドレス及び特定ＩＤとを対応して記憶したサーバ記憶部を参照し、前記端末から受信した問合せデータに含まれる放送日時と放送局ＩＤに従い、番組タイトル若しくはＣＭタイトル及び特定アドレス及び特定ＩＤを求め、サフィックスを予め定められた手順に従い設定して、番組タイトル若しくはＣＭタイトル及び特定アドレス及び特定ＩＤ及びサフィックスを含む第１の応答データを、前記端末に返答し、及び、問合せデータに従い、前記端末からのアクセスについてのログを作成して、ログ記憶部に記憶し、
前記端末は、第１の応答データを前記サーバから受信し、自動で又はユーザの許可により、該第１の応答データに含まれる特定アドレス及び特定ＩＤと、ユーザＩＤと、サフィックスとを含む第１の接続データによって、該特定アドレスで指定された前記リダイレクトサーバに接続し、
前記リダイレクトサーバは、特定ＩＤに対し転送先ＵＲＬを保持するリダイレクトサーバ記憶部を参照し、受信した特定ＩＤに従い転送先ＵＲＬを求めて、転送先ＵＲＬを含む第２の応答データを前記端末に返答し、及び、サフィックスに従い、リダイレクトサーバのアクセスログを前記第１の応答データと対応付けて作成し、
前記端末は、第２の応答データを前記リダイレクトサーバから受信し、自動で又はユーザの許可により、該第２の応答データに含まれる転送先ＵＲＬを含む第２の接続データによって、該転送先ＵＲＬで指定された前記ウェブサイトに接続し、
前記ウェブサイトは、前記端末からの接続に対して、ウェブページを前記端末に送信し、
前記端末は、前記ウェブサイトからウェブページを受信して表示し、
前記リダイレクトサーバは、第２の応答データを返答する際、前記端末から受信した第１の接続データに従い前記端末からのアクセスについてのログを作成して、ログ記憶部に記憶する
調査方法。
【請求項１４】
前記放送局は、透かしデータにさらにフラグを埋めこみ、
前記端末は、前記フラグにしたがって、蓄積部に透かしデータを蓄積するか否かを判断し、及び／又は、問合せデータを前記サーバに送信するか否かを判断し、その判断結果に従い蓄積及び／又は送信の処理を実行する
ことを特徴とする請求項１３に記載の調査方法。
【請求項１５】
前記端末は、蓄積部に蓄積されたひとつ又は複数の透かしデータのリスト、及び／又は、前記第１及び／又は第２の応答データのリストを、表示部に表示することを特徴とする請求項１３又は１４に記載の調査方法。
【請求項１６】
前記第１及び／又は第２の接続データには、端末位置情報及び／又は個人識別情報を含み、
前記ウェブサイトでは、端末位置情報及び／又は個人識別情報に従いウェブページを選択して、前記端末に送信することを特徴とする請求項１３乃至１５のいずれかに記載の調査方法。
【発明の詳細な説明】
【技術分野】
【０００１】
本発明は、情報表示システム及び方法、調査システム及び調査方法に係り、特に、透かしを利用したセカンドスクリーン等の他の情報への連携に関する測定を行うことができる情報表示システム及び方法、調査システム及び調査方法に関する。
なお、「放送局又はメディア」、「放送メディア」とは、例えば、不特定多数の受け手を対象に素材・コンテンツをテレビ、パソコン、ラジオ、携帯機器等に放送・配信・報道するような機関・組織・主体などを指す。
【背景技術】
【０００２】
近年、地上デジタル放送に加え、ＢＳデジタル放送やＣＳ専門チャンネル放送などの普及、さらに新たな放送サービスの出現など、今後ますます放送サービスの多様化が進むものと思われる。
また、従来、テレビ視聴率やラジオ聴取率測定の手法のひとつに放送識別（ＩＤ）信号を利用するシステムが提案されている（例えば、特許文献１、特許文献２参照。）。放送ＩＤ信号とは、放送局を識別するための放送局毎にユニークに割り付けられた信号で、時刻データなども含むことができる。
【０００３】
特許文献１には、「放送局や集計センターの外部に特別な設備を設けることなく、視聴率データ（透かし等で埋め込まれた放送ＩＤ信号）の欠落を抑制、補正する」（要約）ようにした、視聴データ処理システム、視聴データ処理装置等が記載されている。
特許文献２には、「埋め込み装置を含む送出システム構成を最適化することにより、透かし等の埋め込み情報の欠落を防止可能な送出システム」（要約）が記載されている。
【先行技術文献】
【特許文献】
【０００４】
【特許文献１】特開２０１０−１７１６０６号公報
【特許文献２】特開２０１０−１７１８７０号公報
【発明の概要】
【発明が解決しようとする課題】
【０００５】
昨今の放送サービスの多様化が進められる環境下で、透かしを利用したセカンドスクリーン等の他の情報への連携に関する技術が展開されつつあり、他の情報へのアクセス等の視聴データに関する測定を行うシステムの構築が期待されつつある。
【０００６】
本発明は、以上の点に鑑み、端末が、放送信号から透かしデータを検出して、透かしデータに関連する情報を端末に表示する情報表示システム及び方法を提供することを一つの目的とする。さらに、本発明は、そのような情報への端末による接触を測定するための調査システム及び調査方法を提供することを他の目的とする。
【課題を解決するための手段】
【０００７】
本発明の第１の解決手段によると、
放送局、受信機、端末、サーバ、ウェブサイトを備えた情報表示システム、及び、該情報表示システムにおける情報表示方法であって、
前記放送局は、放送信号に、放送日時と放送局ＩＤを含む透かしデータを埋め込み、
前記受信機は、前記放送局からの放送信号を受信して、音声を再生し、
前記端末は、前記受信機が生成した音声を入力し、透かしデータを検出し、透かしデータを蓄積部に蓄積し、且つ、前記端末は、自動又はユーザの許可により、透かしデータを含む問合せデータを、前記サーバに送信し、
前記サーバは、放送日時と放送局ＩＤと、番組若しくはＣＭタイトル及びＵＲＬとを対応して記憶したサーバ記憶部を参照し、前記端末から受信した問合せデータに含まれる放送日時と放送局ＩＤに従い、番組若しくはＣＭタイトル及びＵＲＬを求め、番組若しくはＣＭタイトル及びＵＲＬを含む応答データを、前記端末に返答し、
前記端末は、応答データを前記サーバから受信し、自動で又はユーザの許可により、該応答データに含まれるＵＲＬ及びユーザＩＤを含む接続データを送信し、該ＵＲＬで指定された前記ウェブサイトに接続し、
前記ウェブサイトは、前記端末からの接続に対して、前記端末からのアクセスについてのログを作成する測定用サーバ又は前記サーバにアクセスするためのタグが埋め込まれたウェブページを、前記端末に送信し、
前記端末は、前記ウェブサイトからウェブページを受信して表示する
情報表示システム、及び、情報表示方法が提供される。
【０００８】
本発明の第２の解決手段によると、
放送局、受信機、端末、サーバ、ウェブサイトを備えた調査システム、及び、該調査システムにおける調査方法であって、
前記放送局は、放送信号に、放送日時と放送局ＩＤを含む透かしデータを埋め込み、
前記受信機は、前記放送局からの放送信号を受信して、音声を再生し、
前記端末は、前記受信機が生成した音声を入力し、透かしデータを検出し、透かしデータを蓄積部に蓄積し、且つ、前記端末は、自動又はユーザの許可により、透かしデータを含む問合せデータを、前記サーバに送信し、
前記サーバは、放送日時と放送局ＩＤと、番組若しくはＣＭタイトル及びＵＲＬとを対応して記憶したサーバ記憶部を参照し、前記端末から受信した問合せデータに含まれる放送日時と放送局ＩＤに従い、番組若しくはＣＭタイトル及びＵＲＬを求め、番組若しくはＣＭタイトル及びＵＲＬを含む応答データを、前記端末に返答し、
前記端末は、応答データを前記サーバから受信し、自動で又はユーザの許可により、該応答データに含まれるＵＲＬ及びユーザＩＤを含む接続データを送信し、該ＵＲＬで指定された前記ウェブサイトに接続し、
前記ウェブサイトは、前記端末からの接続に対して、前記端末からのアクセスについてのログを作成する測定用サーバ又は前記サーバにアクセスするためのタグが埋め込まれたウェブページを、前記端末に送信し、
前記端末は、前記ウェブサイトからウェブページを受信して表示し、
前記端末は、前記ウェブサイトから指定されたウェブページを表示し、前記タグ、ユーザＩＤ、ＵＲＬを含むアクセスデータにより、タグで指定された測定用サーバにアクセスし、
測定用サーバは、アクセスデータに従い前記端末からのアクセスについてのログを作成して、ログ記憶部に記憶する
調査システム、及び、調査方法が提供される。
【０００９】
本発明の第３の解決手段によると、
放送局、受信機、端末、サーバ、ウェブサイト、リダイレクトサーバを備えた情報表示システム、及び、該情報表示システムにおける情報表示方法であって、
前記放送局は、放送信号に、放送日時と放送局ＩＤを含む透かしデータを埋め込み、
前記受信機は、前記放送局からの放送信号を受信して、音声を再生し、
前記端末は、前記受信機が生成した音声を入力し、透かしデータを検出し、透かしデータを蓄積部に蓄積し、且つ、前記端末は、自動又はユーザの許可により、透かしデータを含む問合せデータを、前記サーバに送信し、
前記サーバは、放送日時と放送局ＩＤ、番組若しくはＣＭタイトル及び前記リダイレクトサーバへの特定アドレス及び特定ＩＤとを対応して記憶したサーバ記憶部を参照し、前記端末から受信した問合せデータに含まれる放送日時と放送局ＩＤに従い、番組若しくはＣＭタイトル及び特定アドレス及び特定ＩＤを求め、番組若しくはＣＭタイトル及び特定アドレス及び特定ＩＤを含む第１の応答データを、前記端末に返答し、
前記端末は、第１の応答データを前記サーバから受信し、自動で又はユーザの許可により、該第１の応答データに含まれる特定アドレス及び特定ＩＤと、ユーザＩＤとを含む第１の接続データを送信し、該特定アドレスで指定された前記リダイレクトサーバに接続し、
前記リダイレクトサーバは、特定ＩＤに対し転送先ＵＲＬを保持するリダイレクトサーバ記憶部を参照し、受信した特定ＩＤに従い転送先ＵＲＬを求めて、転送先ＵＲＬを含む第２の応答データを前記端末に返答し、
前記端末は、第２の応答データを前記リダイレクトサーバから受信し、自動で又はユーザの許可により、該第２の応答データに含まれる転送先ＵＲＬを含む第２の接続データを送信し、該転送先ＵＲＬで指定された前記ウェブサイトに接続し、
前記ウェブサイトは、前記端末からの接続に対して、ウェブページを前記端末に送信し、
前記端末は、前記ウェブサイトからウェブページを受信して表示する
情報表示システム、及び、情報表示方法が提供される。
【００１０】
本発明の第４の解決手段によると、
放送局、受信機、端末、サーバ、ウェブサイト、リダイレクトサーバを備えた調査システム、及び、該調査システムにおける調査方法であって、
前記放送局は、放送信号に、放送日時と放送局ＩＤを含む透かしデータを埋め込み、
前記受信機は、前記放送局からの放送信号を受信して、音声を再生し、
前記端末は、前記受信機が生成した音声を入力し、透かしデータを検出し、透かしデータを蓄積部に蓄積し、且つ、前記端末は、自動又はユーザの許可により、透かしデータを含む問合せデータを、前記サーバに送信し、
前記サーバは、放送日時と放送局ＩＤ、番組若しくはＣＭタイトル及び前記リダイレクトサーバへの特定アドレス及び特定ＩＤとを対応して記憶したサーバ記憶部を参照し、前記端末から受信した問合せデータに含まれる放送日時と放送局ＩＤに従い、番組若しくはＣＭタイトル及び特定アドレス及び特定ＩＤを求め、番組若しくはＣＭタイトル及び特定アドレス及び特定ＩＤを含む第１の応答データを、前記端末に返答し、
前記端末は、第１の応答データを前記サーバから受信し、自動で又はユーザの許可により、該第１の応答データに含まれる特定アドレス及び特定ＩＤと、ユーザＩＤとを含む第１の接続データを送信し、該特定アドレスで指定された前記リダイレクトサーバに接続し、
前記リダイレクトサーバは、特定ＩＤに対し転送先ＵＲＬを保持するリダイレクトサーバ記憶部を参照し、受信した特定ＩＤに従い転送先ＵＲＬを求めて、転送先ＵＲＬを含む第２の応答データを前記端末に返答し、
前記端末は、第２の応答データを前記リダイレクトサーバから受信し、自動で又はユーザの許可により、該第２の応答データに含まれる転送先ＵＲＬを含む第２の接続データを送信し、該転送先ＵＲＬで指定された前記ウェブサイトに接続し、
前記ウェブサイトは、前記端末からの接続に対して、ウェブページを前記端末に送信し、
前記端末は、前記ウェブサイトからウェブページを受信して表示し、
前記リダイレクトサーバは、第２の応答データを返答する際、前記端末から受信した第１の接続データに従い前記端末からのアクセスについてのログを作成して、ログ記憶部に記憶する
調査システム、及び、調査方法が提供される。
【発明の効果】
【００１１】
本発明によると、端末が、放送信号から透かしデータを検出して、透かしデータに関連する情報を端末に表示する情報表示システム及び方法を提供することができる。さらに、本発明によると、そのような情報への端末による接触を測定するための調査システム及び調査方法を提供することができる。
【図面の簡単な説明】
【００１２】
【図１】情報表示・調査システムの第１の実施の形態の構成図。
【図２】放送局の構成図。
【図３】受像機の構成図。
【図４】端末の構成図。
【図５】サーバの構成図。
【図６】ウェブサイトの構成図。
【図７】測定サーバの構成図。
【図８】端末蓄積部の説明図。
【図９】サーバ記憶部の第１の実施の形態の説明図。
【図１０】調査処理についての第１の実施の形態のシーケンス図。
【図１１】サーバでのアクセスロギングについてのシーケンス図。
【図１２】調査システムの第２の実施の形態の構成図。
【図１３】リダイレクトサーバの構成図。
【図１４】サーバ記憶部の第２の実施の形態の説明図。
【図１５】リダイレクトサーバ記憶部の説明図。
【図１６】情報表示・調査処理についての第２の実施の形態のシーケンス図。
【発明を実施するための形態】
【００１３】
Ａ．第１の実施の形態
１．システム
図１に、調査システムの第１の実施の形態の構成図を示す。
本システムは、次の構成ブロックを備える。
・放送局１
・受像機２  （テレビ、パソコン、ワンセグ端末、セットトップボックス、録画再生機など）
・端末３（モバイル端末など）
・サーバ４（番組・ＣＭタイトルとＵＲＬを端末へ返す。）
・ウェブサイト５（関連情報、ネットショップ、クーポンなど）
・測定サーバ６
【００１４】
図２に、放送局の構成図を示す。
放送局は、ＯＮ／ＯＦＦ設定部、透かし重畳部を備える。
【００１５】
図３に、受像機の構成図を示す。
受像機は、音声再生部を備える。
【００１６】
図４に、端末の構成図を示す。
端末は、音声ＩＦ部、検出部、蓄積部、表示部、通信部を備える。
【００１７】
図５に、サーバの構成図を示す。
サーバは、通信部、アクセスカウント部、処理部、ＵＲＬ生成部、サーバ記憶部（蓄積部）を備える。
【００１８】
図６に、ウェブサイトの構成図を示す。
ウェブサイトは、ウェブページを備える。
【００１９】
図７に、測定サーバの構成図を示す。
測定サーバは、接触ログのログ記憶部を備える。
【００２０】
図８に、端末の蓄積部の説明図を示す。
端末の蓄積部は、放送日時、局ＩＤ、チャンネルＩＤ、ＯＮ／ＯＦＦフラグ、検出日時（時刻）、を対応付けて記憶する。
【００２１】
図９に、サーバ記憶部の第１の実施の形態の説明図を示す。
サーバ記憶部は、放送日時、局ＩＤ、チャンネルＩＤを含む透かしデータに対応して、番組またはＣＭタイトルとＵＲＬを記憶する。さらに、サーバが予め定められた手順で設定するサフィックスを対応して付加してもよい。なおこのサフィックスは、ＵＲＬに含めるようにしてもよい。
【００２２】
２．動作シーケンス
図１０に、調査処理についての第１の実施の形態のシーケンス図を示す。
以下に、動作シーケンスを説明する。
【００２３】
Ｓ１０１：放送局
放送局は、透かし重畳部で、透かしデータを埋め込む。ＯＮ／ＯＦＦ設定部は、透かしデータとして、処理・調査対象として該当する又は非該当であるかを示すＯＮ／ＯＦＦフラグを設定することもできる。
透かしデータには、放送日時、局ＩＤ、チャンネルＩＤを含む。ただし、チャンネルＩＤはひとつの放送局にチャンネルが複数ある場合に指定するもので（たとえばマルチ放送、ワンセグ、IP放送など）、チャンネルを区別する必要がない場合は、必ずしも透かしデータに含める必要はない。以降、チャンネルＩＤの要不要条件は同様。
【００２４】
Ｓ１０３：受像機
受像機は、放送局から放送信号（電波）を受信して、音声再生部により音声を再生する。受像機は、テレビやＰＣ以外に様々な受信機を用いることができる。
【００２５】
Ｓ１０５：端末
端末は、受像機から、音声ＩＦ部で、音声を取得する。音声ＩＦは、マイク等の空間的に音声を取得するデバイスでも、イヤホンケーブルや、光ケーブル、ＨＤＭＩなどの結線接続により音声を取得するデバイスでもよい。端末は、検出部で、透かしデータを検出し、透かしデータを蓄積部に蓄積する。透かしデータは、たとえば、所定の時間間隔等で埋められており、その２秒単位の所定時間、透かしデータを検出し、すべての透かしデータを蓄積していくことができる。また、端末には、時刻校正機能があり、校正された内部時計にしたがって、透かし検出日時（時刻）を、検出した透かしデータと対応付けて、蓄積部に蓄積することができる。
なお、透かしデータには、放送局で埋めこまれたＯＮ／ＯＦＦフラグを含む場合がある。その場合、端末は、フラグのＯＮ／ＯＦＦにしたがって、端末に蓄積するか否かを判断し、その結果に従い蓄積部に蓄積することもできる。蓄積部に蓄積された複数の透かしデータは、表示部で、リスト表示することができる。
端末は、自動又はユーザ選択（ユーザ許可）で、通信部を介し、透かしデータをサーバに問合せ通知する（問合せデータ）。なお、自動とは、透かしデータ検出したときに問合せ通知を実施するものであり、一方、ユーザ選択（ユーザ許可）とは、透かしデータ検出後に、表示部でユーザ許可が入力されたものについて、問合せデータを送信するものをいう。問合せデータには、例えば、透かしデータとして、放送日時、局ＩＤ、チャンネルＩＤと、検出日時、位置情報、ＯＮ／ＯＦＦフラグを含む。
【００２６】
Ｓ１０７：サーバ
サーバは、サーバ記憶部を参照し、端末からの問合せデータに含まれる透かしデータに対し、番組又はＣＭタイトルとＵＲＬを求める。このとき、サーバは、透かしデータの放送日時、局ＩＤ、チャンネルＩＤからどの番組又はＣＭかを特定し、番組又はＣＭタイトルとＵＲＬを含む応答データを作成し、応答データを端末に応答する。応答データ作成において、端末から検出日時、位置情報、ＯＮ／ＯＦＦフラグが送信される場合は、これらによって応答データを変更することもできる。ここで、ＵＲＬには、ネットワーク上のアドレスを示すだけでなく、のちに、端末と、端末からの問合せと端末への情報表示を対応付けるために、サーバは適宜のサフィックスを付加することができる。サフィックスは、シーケンス番号でも乱数的に発生させた番号や記号など、適宜の番号・記号等を用いることができる。
【００２７】
Ｓ１０９：端末
端末は、応答データをサーバから受信し、送信した透かしデータと受信した応答データを対応して、端末内に蓄積する。端末は、透かしデータ及び／又は応答データをリスト表示することができる。端末は、自動で接続する場合は、ＵＲＬを受信した後に、接続データを送信して、自動でＵＲＬにアクセスし、ＵＲＬ先のウェブサイトのウェブページを表示する。または、接続するか否かのユーザ許可を問うことで、許可の場合接続データを送信してＵＲＬに接続することができる。いずれの場合でもＵＲＬに接続する際に、ウェブサイトでのアクセスロギング等のために、端末を特定するＩＤ（以下、ユーザ識別子（ＵＩＤ）という。）及びサフィックスも送信することができる。なお、この際、端末の位置情報、又は、個人識別情報などを同時に送信するようにしてもよい。個人識別情報とは、端末を使用する人物を特定する情報であり、たとえば、手動または自動認識手段により、設定・保持ができる。
【００２８】
Ｓ１１１：ウェブサイト
ＵＲＬで指定されたウェブサイトでは、該当するウェブページを送信する。サフィックスが設定されると、ウェブサイトでは、ＵＲＬアクセスのサフィックスと、端末を特定するＵＩＤから、サーバに対するどのＵＲＬ問合せか（問合せデータ、応答データ）と、端末のＵＩＤとを対応付ける（ひもづける）ことが可能となり、より有効なアクセスロギングが可能となる。
ウェブページのコンテンツとしては、出演者、番組で紹介された場所、商品、サービス等に関連した情報、またはクーポン、または広告、またはネットショッピングサイト、テレビでは伝えきれない追加的な情報など、適宜のものを採用することができる。なお、ウェブサイトは、端末のＵＩＤまたは、個人識別情報、位置情報などに応じて、応答するウェブページの内容を変更することができる。
【００２９】
Ｓ１１３：端末
端末は、ウェブサイトからウェブページ情報を受信し、ディスプレイに表示する。
【００３０】
Ｓ１１５：測定サーバ
なお、ステップＳ１１１では、ウェブサイトは、端末へ送信するウェブページに所定のタグを埋め込むことができる。以下で詳述するように、このタグにより、アクセスロギングが可能となる。埋め込まれたタグは、測定サーバにて測定される。なお、以下では、一例として、「測定サーバ」は、（ログのリンクの都合等で、）「サーバ」と同じものとして説明するが、別のものとして、必要な情報をやりとりするようにしてもよい。
【００３１】
測定サーバ（サーバ）による接触ログのロギングは、次のように処理が実行される。
（１）ステップＳ１１１で、ウェブサイトは、ウェブページに、ログを測定するための測定サーバにアクセスするためのタグを埋めこむことができる。
（２）このタグにより、測定サーバでは、端末で表示したかどうかを測定が可能となる。なお、タグに含まれるものは、例えば、測定サーバにあるタグのアドレス、タグファイル名とすることができる。
（３）端末で、上述のように、ウェブページを表示すると、それを契機に、端末は、タグが示す測定サーバにも、アクセスする。
ここで、端末から送信されるデータは、例えば、以下の通りである。
・ユーザ識別子（ＵＩＤ）
・端末の、または、端末が属するグローバルＩＰアドレス
・ウェブページアドレス（サフィックス付）
など。
（４）測定サーバでは、ステップＳ１１３で、端末からのアクセスのサフィックス付ウェブページアドレス（ＵＲＬ）と、ステップＳ１０７で、サーバが先に端末からの問合せに応答した、応答データに含まれるサフィックス付ＵＲＬにより、アクセスログを同じサフィックスによりひもづけし、接触ログをロギングする。
（５）測定サーバで接触ログとしてロギングするもの（接触ログに含まれるもの）は、例えば、以下の通りである。
・ユーザ識別子（ＵＩＤ）
・グローバルＩＰアドレス
・タグのアドレス、タグファイル名
・ウェブページアドレス（サフィックス付）
・ロギング日時
・サーバでの透かし問合せ時の問合せ日時、
・放送日時／局ＩＤ／チャンネルＩＤ（ｃｈ  ＩＤ）
など。
なお、作成された各種ログは、適宜のログ記憶部に記憶される。
【００３２】
３．サーバでのアクセスロギング
図１１に、サーバでのアクセスロギングについてのシーケンス図を示す。
サーバによるアクセスログロギングは、次のように処理が実行される。
【００３３】
（１）図１０と同様に、ステップＳ１０１、Ｓ１０３の処理後に、ステップＳ１０５で、端末は、透かしデータを抽出して、サーバに問い合わせる（問合せデータ）。
端末から、問合せデータにより送られるものは、例えば、次の通り。
・端末の、または、端末が属するグローバルＩＰアドレス
・放送日時／局ＩＤ／ｃｈ  ＩＤ
・位置情報
・検出日時
など。
（２）ステップＳ３０７で、サーバでは、応答データとして、番組又はＣＭタイトルと、ＵＲＬ（サフィックス付き）を返送する。サーバは、このとき、問合せデータを元に、アクセスロギング（サーバログ）を行うことができる。
ロギングデータは、例えば、以下の通り。
・端末のグローバルＩＰアドレス
・放送日時／局ＩＤ／ｃｈ  ＩＤ
・位置情報
・検出日時
・サフィックス（ひもづけに使用）
・ロギング日時
など
（３）アクセスロギングデータは、リダイレクトサーバログ（後述）及び／又は測定サーバによる接触ログ（前述）と、サフィックスによりひもづけすることが可能である。
なお、作成された各種ログは、適宜のログ記憶部に記憶される。
【００３４】
Ｂ．第２の実施の形態
１．システム
図１２に、調査システムの第２の実施の形態の構成図を示す。
本システムは、次の構成ブロックを備える。
・放送局１
・受像機２  （テレビ、パソコン、ワンセグ端末、セットトップボックス、録画再生機など）
・端末３（モバイル端末など）
・サーバ４（番組・ＣＭタイトルとＵＲＬを端末へ返す。）
・ウェブサイト５（関連情報、ネットショップ、クーポンなど）
・リダイレクトサーバ７
放送局、受像機、端末、サーバ、ウェブサイトの構成は、第１の実施の形態と同様である。
【００３５】
図１３に、リダイレクトサーバの構成図を示す。
リダイレクトサーバは、リダイレクトサーバ記憶部（アドレス変換テーブル）、ログ記憶部（アクセスログ）を備える。
【００３６】
図１４に、サーバ記憶部の第２の実施の形態の説明図を示す。
サーバ記憶部は、放送日時、局ＩＤ、チャンネルＩＤを含む透かしデータに対応して、番組またはＣＭタイトルと、リダイレクトサーバの特定アドレスと特定ＩＤを記憶する。
【００３７】
図１５に、リダイレクトサーバ記憶部の説明図を示す。
リダイレクトサーバ記憶部は、特定ＩＤに対応して、転送先ウェブサイトのＵＲＬを記憶する。
【００３８】
２．動作シーケンス
図１６に、調査処理についての第２の実施の形態のシーケンス図を示す。
以下に、動作シーケンスを説明する。
ステップＳ１０１〜Ｓ１０５：（第１の実施の形態と同様であるので、説明を省略する。）
【００３９】
Ｓ２０７：サーバ
端末からサーバへのＵＲＬ問合せのための問合せデータに対し、サーバ記憶部を参照し、サーバは、第１の実施の形態で送信したＵＲＬの代わりに、リダイレクトサーバの特定アドレスと特定ＩＤを求め、その特定アドレス及び特定ＩＤを応答データに含めて返送する。応答データ作成において、端末から検出日時、位置情報、ＯＮ／ＯＦＦフラグが送信される場合は、これらによって応答データを変更することもできる。
【００４０】
Ｓ２０９：端末
端末は、第１の応答データを受信すると、自動又はユーザ選択（ユーザ許可）により、特定アドレス及び特定ＩＤ、端末を特定するＩＤを含めた第１の接続データを送信して、特定アドレスで指定されたリダイレクトサーバへアクセスする。なお、この際、端末の位置情報、又は、個人識別情報、検出日時、ＯＮ／ＯＦＦフラグなどを同時に送信するようにしてもよい。
【００４１】
Ｓ２１１：リダイレクトサーバ
リダイレクトサーバは、リダイレクトサーバ記憶部を参照し、受信した特定ＩＤに基づき、転送先のＵＲＬを求め、転送先ＵＲＬを含む第２の応答データを端末に返す。ここで、ＵＲＬには、ネットワーク上のアドレスを示すだけでなく、のちに、端末と、端末からの問合せと端末への情報表示を対応付けるために、サーバは適宜のサフィックスを付加することができる。サフィックスは、シーケンス番号でも乱数的に発生させた番号や記号など、適宜の番号・記号等を用いることができる。
【００４２】
Ｓ２１３：端末
端末は、第２の応答データをリダイレクトサーバから受信し、送信した透かしデータと受信した第２の応答データを対応して、端末内に蓄積する。端末は、透かしデータ及び／又は第２の応答データをリスト表示することができる。端末は、自動で接続する場合は、リダイレクトサーバから転送先ＵＲＬを受信した後に、第２の接続データを送信して、自動で転送先ＵＲＬにアクセスし、転送先ＵＲＬのウェブサイトのウェブページを表示する。または、接続するか否かのユーザ許可を問うことで、許可の場合接続データを送信して転送先ＵＲＬに接続することができる。いずれの場合でも転送先ＵＲＬに接続する際に、ウェブサイトでのアクセスロギング等のために、端末を特定するＩＤ（以下、ユーザ識別子（ＵＩＤ）という。）及びサフィックスも送信することができる。なお、この際、端末の位置情報、又は、個人識別情報などを同時に送信するようにしてもよい。
【００４３】
Ｓ２１５：ウェブサイト
転送先ＵＲＬで指定されたウェブサイトでは、該当するウェブページを送信する。サフィックスが設定されると、ウェブサイトでは、ＵＲＬアクセスのサフィックスと、端末を特定するＵＩＤから、サーバに対するどのＵＲＬ問合せか（問合せデータ、応答データ）と、端末のＵＩＤとを対応付ける（ひもづける）ことが可能となり、より有効なアクセスロギングが可能となる。
ウェブページのコンテンツとしては、出演者、番組で紹介された場所、商品、サービス等に関連した情報、またはクーポン、または広告、またはネットショッピングサイト、テレビでは伝えきれない、追加的な情報など、適宜のものを採用することができる。なお、ウェブサイトは、端末のＵＩＤまたは、個人識別情報、位置情報などに応じて、応答するウェブページの内容を変更することができる。
【００４４】
Ｓ２１７：端末
端末は、ウェブサイトからウェブページ情報を受信し、ディスプレイに表示する。
【００４５】
本実施の形態によると、リダイレクトサーバを経由することにより、調査会社は各ウェブサイトに問い合わせなくても、アクセスしたかどうか又はアクセスログを測定することができる。また、リダイレクトサーバ記憶部の設定により、期限やＵＩＤなどで、転送先ＵＲＬを変えることが可能となる。
【００４６】
３．リダイレクトサーバでのアクセスロギング
リダイレクトサーバによるアクセスログロギングは、次のように処理が実行される。
（１）ステップＳ２０９において、端末は、リダイレクトサーバにアクセスする。その際の送信データは、例えば以下の通り。
・ユーザ識別子
・端末の、または、端末が属するグローバルＩＰアドレス
・リダイレクトサーバウェブページアドレス（サフィックス付）
など。
（２）ステップ２１１で、リダイレクトサーバは、端末からの送信に対し、アクセスロギングする。
ロギングデータ（リダイレクトサーバログに含まれるもの）は、例えば以下の通り。
・ユーザ識別子
・グローバルＩＰアドレス
・リダイレクトサーバウェブページアドレス（サフィックス付）
・リダイレクト先ＵＲＬアドレス（サフィックス付き）
・ロギング日時
など。
（３）リダイレクトサーバでのアクセスログは、サフィックスを元に、サーバでの付与サフィックスとひもづけ（同じサフィックスでリンクする）することが可能で、サーバログとあわせ分析することができる。
なお、作成された各種ログは、適宜のログ記憶部に記憶される。
【産業上の利用可能性】
【００４７】
本発明は、テレビ、パソコン、ラジオ、携帯機器等の視聴率・聴取率・メディア接触率等の様々な情報表示、調査や測定に適用することができる。
以上では、主に、放送局等の特定について説明したが、本発明は、テレビ、パソコン、ラジオ、携帯機器等の様々なコンテンツ・素材を放送・配信する放送局・メディアの特定にも適用することができる。
【００４８】
また、本発明の情報表示・調査方法又は情報表示・調査のための装置・システムは、その各手順をコンピュータに実行させるための情報表示・調査プログラム、情報表示・調査プログラムを記録したコンピュータ読み取り可能な記録媒体、情報表示・調査プログラムを含みコンピュータの内部メモリにロード可能なプログラム製品、そのプログラムを含むサーバ等のコンピュータ、等により提供されることができる。
【符号の説明】
【００４９】
１  放送局
２  受像機
３  端末
４  サーバ
５  ウェブサイト
６  測定サーバ
７  リダイレクトサーバ
【図１】
0005859245.tif 000002
【図２】
0005859245.tif 000003
【図３】
0005859245.tif 000004
【図４】
0005859245.tif 000005
【図５】
0005859245.tif 000006
【図６】
0005859245.tif 000007
【図７】
0005859245.tif 000008
【図８】
0005859245.tif 000009
【図９】
0005859245.tif 000010
【図１０】
0005859245.tif 000011
【図１１】
0005859245.tif 000012
【図１２】
0005859245.tif 000013
【図１３】
0005859245.tif 000014
【図１４】
0005859245.tif 000015
【図１５】
0005859245.tif 000016
【図１６】
0005859245.tif 000017